(57)【要約】【課題】建築物のベランダに施工するための防水ユニットで、施工に時間を要せず、運搬が容易で、施工に際して専門の職人を要さず、耐久性も十分備えた防水ユニットを提供する。【解決手段】防水ユニットは、略シート状の底面部と、底面部の周縁から立ち上がった略シート状の立ち上がり部とを有し、柔軟性があり防水機能を有するシートにより形成されたシート層１０２と、シート層１０２の表側の面に設けられたコーティング層で、ウレタン防水材を塗布することにより形成されたコーティング層１１０と、シート層１０２の裏側の面に設けられた柔軟性のある複数の接着層で、連続した非接着領域を介して形成され、シート層１０２の裏側の面を部分的に接着可能とした接着層１０４と、剥離シート１０６から構成されている。【選択図】図３
2008280725.tif 000002
【特許請求の範囲】
【請求項１】
建築物のベランダに施工するための防水ユニットであって、
略シート状の底面部と、底面部の周縁から立ち上がった略シート状の立ち上がり部とを有し、
底面部と立ち上がり部とは、シート状部材により形成され、
該シート状部材は、柔軟性があり防水機能を有するシートにより形成されたシート層と、シート層の表側の面に設けられたコーティング層で、ウレタン防水材を塗布することにより形成されたコーティング層と、シート層の裏側の面に設けられた柔軟性のある複数の接着層で、連続した非接着領域を介して形成され、シート層の裏側の面を部分的に接着可能とした接着層とから構成され、
防水ユニットの底面部の上面及び立ち上がり部の内側の面に該コーティング層が設けられていることを特徴とする防水ユニット。
【請求項２】
隣接する立ち上がり部の境界位置において、隣接するシート層の内側に接着された略断面Ｌ字状のジョイント部材が設けられ、上記コーティング層は該ジョイント部材を被覆するように設けられていることを特徴とする請求項１に記載の防水ユニット。
【請求項３】
上記底面部には、排水用の溝部が形成されていることを特徴とする請求項１又は２に記載の防水ユニット。
【請求項４】
上記コーティング層において、ウレタン防水材により構成されたウレタン層の表面に、該ウレタン層を保護するためのコート層が形成されていることを特徴とする請求項１又は２又は３に記載の防水ユニット。
【請求項５】
上記接着層を被覆する剥離シートが設けられていることを特徴とする請求項１又は２又は３又は４に記載の防水ユニット。
【請求項６】
建築物のベランダに施工するための防水ユニットで、平板状の底面部と、底面部の周縁から立ち上がった平板状の立ち上がり部とを有する防水ユニットの製造方法であって、
内底面と内底面の周縁から立ち上がった内壁部とを有する枠型で、製造すべき防水ユニットの底面部の下面と立ち上がり部の外側の面の外形に応じて形成された枠型の内側の面に沿って、柔軟性があり防水機能を有するシートにより形成されたシート層と、シート層の表側の面に設けられたコーティング層で、ウレタン防水材を塗布することにより形成されたコーティング層と、シート層の裏側の面に設けられた複数の接着層で、連続した非接着領域を介して形成され、シート層の裏側の面を部分的に接着可能とした接着層と、該接着層を被覆する剥離シートとを有するシート材で、底面部と底面部の周縁に設けられた立ち上がり部とを有するシート材を敷くとともに、シート材における隣接する立ち上がり部間を接続して、防水ユニット本体を形成する防水ユニット本体形成工程と、
防水ユニット本体の内側の面にウレタン防水材を複数回塗布するウレタン塗布工程で、前回塗布されたウレタンが硬化した後に次回のウレタンを塗布するウレタン塗布工程と、
ウレタン塗布工程で塗布されたウレタンの表面に該ウレタンを保護するためのコート材を塗布するコート材塗布工程と、
を有することを特徴とする防水ユニットの製造方法。
【請求項７】
建築物のベランダにおける防水施工方法であって、
請求項５に記載の防水ユニット又は請求項６の製造方法により防水ユニットを予め作成する防水ユニット作成工程と、
作成された防水ユニットをベランダにおける被施工面に剥離シートを剥がしながら接着層を介して貼ることにより防水ユニットを取り付ける取付け工程と、
を有することを特徴とする防水施工方法。
【発明の詳細な説明】
【技術分野】
【０００１】
本発明は、防水ユニットに関するものであり、特に、住宅用建物のベランダに施工する防水ユニットに関するものである。
【背景技術】
【０００２】
従来より、住宅用建物のベランダの床面の防水はＸ−１工法と呼ばれる方法により、行われていた。すなわち、Ｘ−１工法においては、裏面に接着層が設けられ、表面がウレタン防水材との接着性がよい部材により形成されたシート状部材を施工面に貼る。その後、ウレタン防水材を塗布する。ウレタン防水材の塗布は２回行なう。すなわち、１回目に塗布したウレタン防水材が硬化した後に２回目の塗布を行なう。２回目に塗布したウレタン防水材が硬化したらその表面に仕上げ塗料を塗る。
【０００３】
また、従来においては、ＦＲＰにより形成されたベランダ防水ユニットが用いられることもあった。このベランダ防水ユニットは、ＦＲＰにより形成されているので、一体成型品であり、水密性や耐久性に優れている。
【０００４】
また、金属製の平板の上面にパン形状の塩化ビニルを形成した構成の防水ユニットも存在する。
【０００５】
なお、出願人は、先行技術文献として、特許文献１に示す文献を知得している。
【特許文献１】特開２００１−２２７１１１号公報
【発明の開示】
【発明が解決しようとする課題】
【０００６】
しかし、上記のＸ−１工法においては、実際には、シート状部材の施工面への貼り付けと１回目のウレタン防水材の塗布に１日を要し、また、２回目のウレタン防水材の塗布に１日を要し、さらに、仕上げ塗料の塗布に１日を要することから計３日の日数を要し、特に、ベランダの広さが小面積の場合でも３日の日数を要することから施工する人材のコストを要し、特に、繁忙期には職人の確保が困難となるという問題があることから、ベランダの広さが中面積以上での施工がほとんどであり、小面積のベランダには採用されていないのが現状である。
【０００７】
また、ＦＲＰによる防水ユニットの場合には、一体成型品であり、硬質で大きな物となるので運搬に大きな問題を生じる。すなわち、トラックの荷台の大きさの制限や搬入路の大きさの問題が生じる。よって、荷台に納まらない大きなユニットの場合には、ユニットを分割して搬入し、現場において分割されたユニットを組み立てることになる。しかし、接合部分のジョイントの水密性が十分でない場合が多く、また、分割されたユニットを接合する際の職人の確保の問題もある。
【０００８】
また、金属製の平板の上面にパン形状の塩化ビニルを形成した構成の防水ユニットの場合には、施工に際し、側面部分の角部を金属性部材で被施工面に固定する必要があり、専門の職人を要することからコストが掛かり、また、塩化ビニルが傷付いた場合には下側の金属性の平板が錆びてしまい、耐久性に問題がある。
【０００９】
そこで、本発明は、建築物のベランダに施工するための防水ユニットで、施工に時間を要せず、運搬が容易で、施工に際して専門の職人を要さず、耐久性も十分備えた防水ユニットを提供することを目的とするものである。
【課題を解決するための手段】
【００１０】
本発明は上記問題点を解決するために創作されたものであって、第１には、建築物のベランダに施工するための防水ユニットであって、略シート状の底面部と、底面部の周縁から立ち上がった略シート状の立ち上がり部とを有し、底面部と立ち上がり部とは、シート状部材により形成され、該シート状部材は、柔軟性があり防水機能を有するシートにより形成されたシート層と、シート層の表側の面に設けられたコーティング層で、ウレタン防水材を塗布することにより形成されたコーティング層と、シート層の裏側の面に設けられた柔軟性のある複数の接着層で、連続した非接着領域を介して形成され、シート層の裏側の面を部分的に接着可能とした接着層とから構成され、防水ユニットの底面部の上面及び立ち上がり部の内側の面に該コーティング層が設けられていることを特徴とする。
【００１１】
この第１の構成の防水ユニットにおいては、接着層を介して被施工面に貼り付けていけばよいので、短時間で施工を行なうことができる。また、防水ユニットは、全体に柔軟性のある素材により形成されているので、折り畳んだ状態や巻いた状態にでき、運搬が容易となる。また、施工に際しては、接着層を介して被施工面に貼り付けるのみであるので、専門の職人を要さず容易に施工することができる。また、シート層の表面にウレタン防水材からなるコーティング層を設けた構成であるので、耐久性に優れ、長期間にわたって防水機能を果たすことができる。
【００１２】
また、第２には、上記第１の構成において、隣接する立ち上がり部の境界位置において、隣接するシート層の内側に接着された略断面Ｌ字状のジョイント部材が設けられ、上記コーティング層は該ジョイント部材を被覆するように設けられていることを特徴とする。このジョイント部材が設けられていることにより、隣接する立ち上がり部同士の接続を確実にすることができる。
【００１３】
また、第３には、上記第１又は第２の構成において、上記底面部には、排水用の溝部が形成されていることを特徴とする。
【００１４】
また、第４には、上記第１から第３までのいずれかの構成において、上記コーティング層において、ウレタン防水材により構成されたウレタン層の表面に該ウレタン層を保護するためのコート層が形成されていることを特徴とする。これにより、ウレタン層の厚みを長期間に渡って十分に維持することができる。
【００１５】
また、第５には、上記第１から第４までのいずれかの構成において、上記接着層を被覆する剥離シートが設けられていることを特徴とする。
【００１６】
また、第６には、建築物のベランダに施工するための防水ユニットで、平板状の底面部と、底面部の周縁から立ち上がった平板状の立ち上がり部とを有する防水ユニットの製造方法であって、内底面と内底面の周縁から立ち上がった内壁部とを有する枠型で、製造すべき防水ユニットの底面部の下面と立ち上がり部の外側の面の外形に応じて形成された枠型の内側の面に沿って、柔軟性があり防水機能を有するシートにより形成されたシート層と、シート層の表側の面に設けられたコーティング層で、ウレタン防水材を塗布することにより形成されたコーティング層と、シート層の裏側の面に設けられた複数の接着層で、連続した非接着領域を介して形成され、シート層の裏側の面を部分的に接着可能とした接着層と、該接着層を被覆する剥離シートとを有するシート材で、底面部と底面部の周縁に設けられた立ち上がり部とを有するシート材を敷くとともに、シート材における隣接する立ち上がり部間を接続して、防水ユニット本体を形成する防水ユニット本体形成工程と、防水ユニット本体の内側の面にウレタン防水材を複数回塗布するウレタン塗布工程で、前回塗布されたウレタンが硬化した後に次回のウレタンを塗布するウレタン塗布工程と、ウレタン塗布工程で塗布されたウレタンの表面に該ウレタンを保護するためのコート材を塗布するコート材塗布工程と、を有することを特徴とする。
【００１７】
上記の製造方法により製造された防水ユニットにおいては、接着層を介して被施工面に貼り付けていけばよいので、短時間で施工を行なうことができる。また、防水ユニットは、全体に柔軟性のある素材により形成されているので、折り畳んだ状態や巻いた状態にでき、運搬が容易となる。また、施工に際しては、接着層を介して被施工面に貼り付けるのみであるので、専門の職人を要さず容易に施工することができる。また、シート層の表面にウレタン防水材からなるコーティング層を設けた構成であるので、耐久性に優れ、長期間にわたって防水機能を果たすことができる。
【００１８】
また、第７には、建築物のベランダにおける防水施工方法であって、上記第５の構成の防水ユニット又は上記第６の構成の製造方法により防水ユニットを予め作成する防水ユニット作成工程と、作成された防水ユニットをベランダにおける被施工面に剥離シートを剥がしながら接着層を介して貼ることにより防水ユニットを取り付ける取付け工程と、を有することを特徴とする。
【発明の効果】
【００１９】
本発明に基づく防水ユニット及び防水ユニットの製造方法により製造された防水ユニットによれば、接着層を介して被施工面に貼り付けていけばよいので、短時間で施工を行なうことができる。また、防水ユニットは、全体に柔軟性のある素材により形成されているので、折り畳んだ状態や巻いた状態にでき、運搬が容易となる。また、施工に際しては、接着層を介して被施工面に貼り付けるのみであるので、専門の職人を要さず容易に施工することができる。また、シート層の表面にウレタン防水材からなるコーティング層を設けた構成であるので、耐久性に優れ、長期間にわたって防水機能を果たすことができる。
【発明を実施するための最良の形態】
【００２０】
本発明においては、施工に時間を要せず、運搬が容易で、施工に際して専門の職人を要さず、耐久性も十分備えた防水ユニットを提供するという目的を以下のようにして実現した。
【００２１】
本発明に基づく防水ユニット５は、図１〜図４に示すように、全体に略方形状の板状の底面の周囲から略方形状に立設した形状を呈し、底面部１０と、立ち上がり部（正面部としてもよい）２０と、立ち上がり部（右側面部としてもよい）３０と、立ち上がり部（背面部としてもよい）４０と、立ち上がり部（左側面部としてもよい）５０とを有している。なお、防水ユニット５における内側の角部には、後述するジョイント部材６０が設けられている。この防水ユニット５は、建物のベランダ（例えば、図１１に示すベランダ）に用いるものである。
【００２２】
なお、図面において、Ｙ１−Ｙ２方向は、Ｘ１−Ｘ２方向に直角な方向であり、Ｚ１−Ｚ２方向は、Ｘ１−Ｘ２方向及びＹ１−Ｙ２方向に直角な方向である。
【００２３】
ここで、底面部１０は、全体に略シート状を呈し、方形状の平板部１２と、平板部１２の背面側に設けられた溝部１４とを有していて、溝部１４の内底面は、右側面側から左側面側に向けて下方に傾斜するように形成されている。この溝部１４は、排水用の溝部である。
【００２４】
また、立ち上がり部２０は、底面部１０の正面側の辺から平板部１２に対して垂直に立設して形成され、正面側の側面部を形成し、全体に方形状の略シート状を呈している。また、立ち上がり部３０は、底面部１０の右側面側の辺から平板部１２に対して垂直に立設して形成され、右側面側の側面部を形成し、全体に方形状の略シート状を呈している。また、立ち上がり部４０は、底面部１０の背面側の辺（つまり、溝部１４の背面側の辺部）から平板部１２に対して垂直に立設して形成され、背面側の側面部を形成し、全体に方形状の略シート状を呈している。また、立ち上がり部５０は、底面部１０の左側面側の辺から平板部１２に対して垂直に立設して形成され、左側面側の側面部を形成し、全体に方形状の略シート状を呈している。
【００２５】
この防水ユニット５を構成する素材は、図３に示す構造を有するシート状部材１００であり、シート状部材１００は、シート状本体部１０１と、シート状本体部１０１の上面に設けられたコーティング層１１０とを有する構成である。
【００２６】
ここで、シート状本体部１０１は、シート層１０２と、接着層１０４と、剥離シート１０６とから構成されている。
【００２７】
このシート層１０２は、柔軟性があり防水機能を有するシートであり、例えば、ゴムアス又はブチルゴム等のゴムを材料として形成されていて、ゴムアス系シート又はゴム系シートである。また、このシート層１０２の表面（コーティング層１１０側の表面）には、ウレタンとの接着性がよい塗料が塗布されているフィルムを固着させるのが好ましい。なお、このシート層１０２の厚みは、１．１〜１．５ｍｍ（好適には１．３ｍｍ）となっている。
【００２８】
また、接着層１０４は、シート層１０２の裏面に設けられていて、ゴムアスにより形成された接着層をシート層１０２の裏面にコーティングすることにより形成されている。この接着層１０４は、図３、図４に示すように、シート層１０２の裏面に複数設けられていて、各接着層１０４は方形状の平板状を呈していて、各接着層１０４の間には非接着領域１０５が設けられている。つまり、複数の接着層１０４により、被接着物に接する接着面側に不連続の接着領域が形成されていて、被接着物に接する接着面側に部分的に非接着領域が形成されている。この非接着領域１０５は連続して形成されている。この接着層１０４は、ゴムアスにより形成されているので、柔軟性がある。また、剥離シート１０６は、接着層１０４の裏面に設けられている。
【００２９】
また、コーティング層１１０は、シート層１０２の表面に設けられ、ウレタン層１１２と、トップコート層１１４とから構成されている。
【００３０】
このウレタン層１１２は、ウレタン防水材（ウレタン塗膜防水材としてもよい）を塗布することにより形成され、具体的には、ウレタン防水材を複数回（具体的には２回）塗布することにより形成されたものである。
【００３１】
また、トップコート層（コート層）１１４は、ウレタンを保護するための仕上塗料（コート材としてもよい）を塗布することにより形成されたものである。この仕上塗料としては、アクリルウレタン系コート材や、シリコン変性アクリルウレタン系コート材が挙げられる。このトップコート層１１４により、ウレタン層１１２の厚みを長期間に渡って十分に維持することができる。
【００３２】
防水ユニット５を形成する底面部１０と、立ち上がり部２０〜５０とは全て上記シート状部材１００により形成されており、これにより、防水ユニット５の内側の面（底面部１０の上面（内底面）と、立ち上がり部２０〜５０の内側の面）は、コーティング層１１０が露出し、防水ユニット５の外側の面（底面部１０の底面と、立ち上がり部２０〜５０の外側の面）は、剥離シート１０６が露出している。
【００３３】
上記防水ユニット５の製造方法について、図５等を使用して説明する。まず、防水ユニット５を施工するベランダの寸法を測定し、その寸法に合わせて木材や合板等で型枠を作成する（Ｓ１１）。図１１に示すベランダの場合には、ベランダの横方向（Ｘ１−Ｘ２方向）の内寸や、奥行方向（Ｙ１−Ｙ２方向）の内寸や、溝部３１４の幅や傾斜角度を測定して、その寸法に合わせて型枠を作成する。つまり、ベランダにおける防水ユニット施工箇所の寸法と同様の大きさ・形状の型枠を作成する。
【００３４】
型枠は、具体的には、図６に示す型枠２０５のような構成であり、底壁部２１０と、側壁部２２０〜２５０とを有していて、その内側の寸法が全体に防水ユニット５の外形の寸法に合わせて形成されていて、製造すべき防水ユニット５の底面部１０の下面と立ち上がり部２０〜５０の外側の面の外形に応じて形成されている。
【００３５】
つまり、底壁部２１０は、平板部２１２と、平板部２１２の背面側に設けられた溝部２１４とを有していて、溝部２１４の内底面は、右側面側から左側面側に向けて下方に傾斜するように形成されている。例えば、平板部２１２は、平板状の木板により形成し、溝部２１４は、平板部２１２の背面側の端部に細長平板状の木板を傾斜させて取り付ける等して構成すればよい。また、側壁部２２０は、底壁部２１０の正面側に平板部２１２に対して垂直に立設して形成されている。また、側壁部２３０は、底壁部２１０の右側面側に平板部２１２に対して垂直に立設して形成されている。また、側壁部２４０は、底壁部２１０の背面側に平板部２１２に対して垂直に立設して形成されている。また、側壁部２５０は、底壁部２１０の左側面側に平板部２１２に対して垂直に立設して形成されている。
【００３６】
型枠２０５を作成したら、シート状本体部１０１の構成のシート材（つまり、シート状本体部１０１の大きさに切断する前の大判のシート材で、シート層１０２と、接着層１０４と、剥離シート１０６とを有している）を用意し、この型枠２０５の内側に防水ユニット本体７（図７参照）を形成する（Ｓ１２、防水ユニット本体形成工程）。
【００３７】
つまり、シート材を枠型２０５の上に配置し、枠型２０５の内側の面に沿って敷き詰めていく。その際、溝部２１４内にもシート材を敷き詰めることによりシート材に溝部１０１ｆ（図８参照）を形成する。そして、枠型２０５の内側の面の大きさに対応した大きさにシート材を切断する。つまり、Ｘ１−Ｘ２方向には、枠型２０５の内側のＸ１−Ｘ２方向の長さと右側面と左側面の内側の高さを加えた長さとし、Ｙ１−Ｙ２方向には、枠型２０５の内側のＹ１−Ｙ２方向の長さと正面と背面の内側の高さを加えた長さの大きさとする。そして、切断したシート材における型枠２０５における内側の４つの角部に対応する位置を特定して、その位置から角部の切欠部を切り取る。つまり、シート材の辺部に平行な方向に切断して、切欠部を切り取る。以上のようにして、底面部１０１ａと、立ち上がり部１０１ｂと、立ち上がり部１０１ｃと、立ち上がり部１０１ｄと、立ち上がり部１０１ｅとを有するシート状本体部１０１が形成される。
【００３８】
上記のように形成されたシート状本体部１０１を枠型２０５の内側に敷き詰め、立ち上がり部１０１ｂ〜１０１ｅとを底面部１０１ａに対して立設した状態とし、内側の四方の角部にジョイント部材６０を断面略Ｌ字状に貼り付ける。このジョイント部材６０は、複数の穴部が設けられた柔軟性のある樹脂製の平板状部材であり、裏面に接着層が設けられたものであり、いわゆる巻回されたテープ状の部材を所定の長さに切断することにより形成される。このジョイント部材６０により隣接する立ち上がり部間の接続を確実にすることができる。
【００３９】
以上のように、シート状本体部１０１の内側の角部にジョイント部材６０を設けることにより、防水ユニット本体７が形成される。
【００４０】
次に、防水ユニット本体７の内側の面にコーティング層を形成する（Ｓ１３）。つまり、型枠２０５内に配置された防水ユニット本体７の内側の面（底面部１０１ａの上面と、立ち上がり部１０１ｂ〜１０１ｅの内側の面）にウレタンを略均一に塗布する（ウレタン塗布工程）。ウレタンの塗布は複数回（好適には２回）行い、前回塗布されたウレタンが硬化した後に次回のウレタンを塗布する。ウレタンの塗布に当たっては、ウレタン塗膜材を吹き付けてもよいし、刷毛により塗布してもよい。
【００４１】
最後に塗布したウレタンの塗膜が硬化したら、ウレタン層の表面に、ウレタンを保護するための仕上塗料を塗布する（コート材塗布工程）。仕上塗料が乾燥することにより、コーティング層１１０が形成される。つまり、ウレタンにより形成された層がウレタン層１１２となり、仕上塗料により形成された層がトップコート層１１４となる。以上のようにして、防水ユニット５が形成される（防水ユニット作成工程）。
【００４２】
なお、防水ユニット本体７の形成に当たって、上記のようにシート材の角部を欠切して切欠部を形成するのではなく、図９に示すように、シート材の角部の位置にシート材の辺部に平行な切込みＫを入れ、立ち上がり部１０１ｂや立ち上がり部１０１ｄの両側にはみ出た領域を隣接する立ち上がり部と重ね合わせて接着させ、ジョイント部材６０を貼り付けるようにして構成してもよい。
【００４３】
上記のように構成された防水ユニット５は、柔軟性のあるシート状本体部１０１にコーティング層１１０を設けたものであるので、全体に柔軟性があり、図１０に示すように、立ち上がり部２０〜５０を底面部１０と接するように折り畳んで全体に平板状とすることができ、特に、各立ち上がり部が隣接する角部においても図１０に示すように折り畳むことが可能である。さらに、図１０のように平板状にした状態で、さらに巻いたり、折り畳んだりすることができる。
【００４４】
上記構成の防水ユニット５の施工方法について説明する。防水ユニット５は、例えば、図１１に示すベランダ３００に施工する。このベランダ３００は、底面部３１０と、側面部３３０と、背面部３４０と、側面部３５０とを有していて、底面部３１０は、平面部３１２と溝部３１４が形成されていて、木造等のベランダである。
【００４５】
防水ユニット５は、巻いた状態又は折り畳んだ状態にできるので、そのような状態にしてベランダまで運び、剥離シートを剥がしながらベランダ３００の内側の面に接着層１０４により貼り付けていく（取付け工程）。例えば、一方の端部（例えば、Ｘ１方向の端部）に合わせて（特に、ベランダにおける角部を合わせて）防水ユニットを配置した後、防水ユニットの端部の領域を持ち上げて剥離シートを剥がして防水ユニットの端部をベランダに貼る。この段階では、ベランダの側面には貼らないようにするのが好ましい。その後、徐々に剥離シートを剥がしながら、他方の端部の方向に貼っていく。底面部３１０の上面への貼り付けが完了したら、ベランダの側面にも貼っていく。以上のようにして、図１２に示すように防水ユニット５がベランダ３００に施工される。なお、ベランダの手前側（Ｙ１側）には、通常屋内の床面との間に高低差が設けられるので、段部の高さまで貼ることとし、余分な部分はナイフ等により切断すればよい。また、溝部１４の下端（Ｘ１側の端部）の位置にはベランダに排水口が設けられているので、溝部１４の下端の位置には排水用の穴部を設けることになる。
【００４６】
なお、図１２に示すように防水ユニット５を施工した後には、図１３に示すように、防水ユニット５の上端領域をカバーするように板材４３０、４４０を取り付ける。このようにすることにより、防水ユニット５の上端とベランダ３００の内側面との間から雨が入り込むことがなく、特に、防水ユニット５が接着層１０４を介して接着されていても雨が入り込むことがない。なお、板材４３０、４４０を取り付けるには、防水ユニット５の厚みを考慮して板材４３０等とベランダとの間にスペーサ４２０が設けられる。
【００４７】
以上のように、本実施例の防水ユニット５によれば、剥離シートを剥がしながら防水ユニット５をベランダに貼っていけばよいので、短時間で施工を行なうことができる。また、防水ユニット５は、上記のように折り畳んだ状態や巻いた状態にできるので、運搬が容易となる。また、施工に際しては、剥離シートを剥がして被施工面に貼り付けるのみであるので、専門の職人を要さず容易に施工することができる。また、防水ユニット５は、シート層１０２を有するシート状本体部１０１の表面にウレタン層等からなるコーティング層１１０を設けた構成であるので、耐久性に優れ、長期間にわたって防水機能を果たすことができる。
【００４８】
なお、上記構成の防水ユニット５には、排水用の溝部１４が設けられているものとして説明したが、溝部１４が設けられていない構成としてもよい。
【図面の簡単な説明】
【００４９】
【図１】本発明の実施例に基づく防水ユニットの構成を示す斜視図である。
【図２】図１のＰ−Ｐ断面図である。
【図３】防水ユニットを構成するシート状部材の断面図である。
【図４】本発明の実施例に基づく防水ユニットの要部斜視図である。
【図５】本発明の実施例に基づく防水ユニットの製造工程を示すフローチャートである。
【図６】本発明の実施例に基づく防水ユニットを製造するための型枠を示す斜視図である。
【図７】本発明の実施例に基づく防水ユニットの製造工程を示す斜視図である。
【図８】本発明の実施例に基づく防水ユニットの製造工程を示す説明図である。
【図９】本発明の実施例に基づく防水ユニットの製造工程を示す説明図である。
【図１０】本発明の実施例に基づく防水ユニットを平板状に畳んだ状態を示す斜視図である。
【図１１】防水ユニットを施工するベランダを示す斜視図である。
【図１２】本発明の実施例に基づく防水ユニットを施工した状態を示す斜視図である。
【図１３】本発明の実施例に基づく防水ユニットを施工した状態を示す要部断面図である。
【符号の説明】
【００５０】
５  防水ユニット
７  防水ユニット本体
１０、１０１ａ、３１０  底面部
１２、２１２  平板部
１４、１０１ｆ、２１４、３１４  溝部
２０、３０、４０、５０、１０１ｂ、１０１ｃ、１０１ｄ、１０１ｅ  立ち上がり部
６０  ジョイント部材
１００  シート状部材
１０１  シート状本体部
１０２  シート層
１０４  接着層
１０６  剥離シート
１１０  コーティング層
１１２  ウレタン層
１１４  トップコート層
２０５  型枠
２１０  底壁部
２２０、２３０、２４０、２５０  側壁部
３００  ベランダ
【図１】
2008280725.tif 000003
【図２】
2008280725.tif 000004
【図３】
2008280725.tif 000005
【図４】
2008280725.tif 000006
【図５】
2008280725.tif 000007
【図６】
2008280725.tif 000008
【図７】
2008280725.tif 000009
【図８】
2008280725.tif 000010
【図９】
2008280725.tif 000011
【図１０】
2008280725.tif 000012
【図１１】
2008280725.tif 000013
【図１２】
2008280725.tif 000014
【図１３】
2008280725.tif 000015